(57)【要約】【課題】  本発明は放射能汚染物質を漏れることなく安全に収納できるとともに、中間貯蔵施設や最終処分場へ容易に運搬して、仮置き等の保管を行なうことができる、安価で、容易に運搬できる放射能汚染物質隔離容器を得るにある。【解決手段】  上部開口部を密封状態で覆うことができる外蓋を備える鋼製あるいはプラスチック製の外側容器と、この外側容器内に、該外側容器の内壁面との間に隙間ができるように複数個の支持片を介して支持される内部に放射能汚染物質が収納され、上部開口部を密封状態で覆うことができる内蓋を備える鋼製あるいはプラスチック製の内側容器と、この内側容器と前記外側容器との間の隙間に充填された高比重泥水とで放射能線物質隔離容器を構成している。【選択図】  図２
2015049070.tif 000002
【特許請求の範囲】
【請求項１】
上部開口部を密封状態で覆うことができる外蓋を備える鋼製あるいはプラスチック製の外側容器と、この外側容器内に、該外側容器の内壁面との間に隙間ができるように複数個の支持片を介して支持される内部に放射能汚染物質が収納され、上部開口部を密封状態で覆うことができる内蓋を備える鋼製あるいはプラスチック製の内側容器と、この内側容器と前記外側容器との間の隙間に充填された高比重泥水とからなることを特徴とする放射能汚染物質隔離容器。
【請求項２】
外側容器はトラックに積み込みできる大きさで、かつ内壁面に内側容器との間に隙間を形成するための複数個の支持片が設けられていることを特徴とする請求項１記載の放射能汚染物質隔離容器。
【請求項３】
内側容器の外壁面に外側容器との間に隙間を形成するための複数個の支持片が設けられていることを特徴する請求項１記載の放射能汚染物質隔離容器。
【請求項４】
高比重泥水は２．３以上の高比重であることを特徴とする請求項１ないし請求項３のいずれかに記載の放射能汚染物質隔離容器。
【発明の詳細な説明】
【技術分野】
【０００１】
本発明は放射能に汚染された土壌、除染された物質、廃棄物等の放射能汚染物質を漏えいがなく、安全に収納して、中間貯蔵施設や最終処分場に容易に運搬して、仮置き等の保管を行なうことができる放射能汚染物質隔離容器に関する。
【背景技術】
【０００２】
従来、放射能に汚染された土壌、除染された物質、廃棄物等の放射能汚染物質は耐候性土のうやコンクリート容器等に仮置きされている。
【０００３】
しかしながら、前記耐候性土のうはポリプロピレン、ポリエステル等の素材で、紫外線劣化が３年程度の遮水性のない土のうであり、遮蔽効果がまったくなく、また雨水に接触すると即自的に漏えいする可能性があり、さらに、経年劣化により、移動時、吊りベルトが破損し、土のうが破れ、被爆する可能性があり、３年経過後の対策がないという欠点があった。
【０００４】
また、コンクリート容器は、遮蔽効果はコンクリートの厚さに比例し、効果を高くすると重量が増し、移動に難点があり、コンクリート自体は遮水性能がないため、遮水シート、防水加工等が必要であり、ひび割れ等で漏水する可能性があり、コンクリート容器の価格が高額になるという欠点があった。
【先行技術文献】
【特許文献】
【０００５】
【特許文献１】実用新案登録第３１７７１７９号公報
【特許文献２】実用新案登録第３１７９９６０号公報
【発明の概要】
【発明が解決しようとする課題】
【０００６】
本発明は以上のような従来の欠点に鑑み、放射能汚染物質を漏れることなく安全に収納できるとともに、中間貯蔵施設や最終処分場へ容易に運搬して、仮置き等の保管を行なうことができる、安価で、容易に運搬できる放射能汚染物質隔離容器を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は上部開口部を密封状態で覆うことができる外蓋を備える鋼製あるいはプラスチック製の外側容器と、この外側容器内に、該外側容器の内壁面との間に隙間ができるように複数個の支持片を介して支持される内部に放射能汚染物質が収納され、上部開口部を密封状態で覆うことができる内蓋を備える鋼製あるいはプラスチック製の内側容器と、この内側容器と前記外側容器との間の隙間に充填された高比重泥水とで放射能線物質隔離容器を構成している。
【発明の効果】
【０００９】
以上の説明から明らかなように、本発明にあっては次に列挙する効果が得られる。
（１）請求項１により、外側容器と内側容器との隙間に高比重泥水が充填されているので、高比重泥水によって内側容器の遮蔽と遮水を行なうことができる。
したがって、内側容器に収納された放射能汚染物質の放射能が外側容器から漏れるのを確実に防止することができる。
（２）前記（１）により、外側容器内に放射能汚染物質が収納された内側容器を収納し、該内側容器の外周に高比重泥水を充填しているので、移送しても内側容器が破損したりするのを確実に防止でき、安全に移送することができる。
また、移送時には高比重泥水を除去して行なえば軽量となり、移送を楽に、容易に行なうことができる。
（３）前記（１）により、外側容器、内側容器、高比重泥水を使用するため、使用現場へは簡単に運搬でき、低コストで楽に中間所蔵施設や最終処分場に設置することができる。
（４）請求項２、３も前記（１）〜（３）と同様な効果が得られる。
【図面の簡単な説明】
【００１０】
【図１】本発明を実施するための第１の形態の正面図。
【図２】図１の２−２線に沿う断面図。
【図３】図１の３−３線に沿う断面図。
【図４】本発明を実施するための第１の形態の外側容器の一部破断説明図。
【図５】本発明を実施するための第１の形態の内側容器の一部破断説明図。
【図６】本発明を実施するための第１の形態の使用状態の説明図。
【図７】本発明を実施するための第１の形態の運搬する場合の説明図。
【図８】本発明を実施するための第２の形態の一部破断面図。
【図９】図８の９−９線に沿う断面図。
【図１０】本発明を実施するための第２の形態の内側容器の説明図。
【図１１】本発明を実施するための第３の形態の正面図。
【図１２】図１１の１２−１２線に沿う断面図。
【図１３】本発明を実施するための第３の形態の外蓋の説明図。
【発明を実施するための形態】
【００１１】
以下、図面に示す本発明を実施するための形態により、本発明を詳細に説明する。
【００１２】
図１ないし図７に示す本発明を実施するための第１の形態において、１は放射能に汚染された土壌、除染された物質、廃棄物等の放射能汚染物質２を漏えいがなく、安全に収納して、中間所蔵施設や最終処分場に仮置き等の保管を行なうことができる本発明の放射能汚染物質隔離容器で、この放射能汚染物質隔離容器１は上部開口部３が形成された外側容器本体４の上部開口部３を複数個のボルト５で密封状態で覆うことができる外蓋６を備える鋼製あるいはプラスチック製の、トラックに積み込むことができる立方体形状の外側容器７と、この外側容器７の内底面や内壁面に内側へ突出するように設けた複数個の支持片８、８Ａと、前記外側容器７内へ前記複数個の支持片８、８Ａに支持されて収納される、内部に放射能汚染物質２が収納され、上部開口部９が形成された内側容器本体１０の上部開口部９を複数個のボルト５で密封状態で覆うことができる内蓋１１を備える鋼製あるいはプラスチック製の内側容器１２と、前記外側容器７内に位置させた、前記内側容器本体１０内に上部開口部９より放射能汚染物質２を収納し、内蓋１１で上部開口部９を閉じた状態で、前記複数個の支持片８、８Ａによって形成される、前記外側容器７の内壁面と前記内側容器１２の外壁面との間の隙間１３に充填された２．３以上、最適には２．３〜２．５の高比重の高比重泥水１４とで構成されている。
【００１３】
なお、前記複数個の支持片８、８Ａのうち、外側容器７の内壁面の支持片８は上部より下部位置が内側方向へ突出する傾斜面１５となるものが使用されている。
【００１４】
また、前記高比重泥水１４は、例えば水道水が１２?、スーパークレイが６６０ｇ、ヘマタイトが３６ｋｇ、Ｌ−１７５が３６０ｇで、トータル４９．１ｋｇ／２０?となり、２．４５の高比重泥水が使用されたり、また、水道水１０００ｇ、スーパークレイが５５ｇ、ヘマタイトが３００７ｇ、Ｌ−１７５が３０ｇで、トータル４０９２ｇ／１６７０．１ｍｌとなり、２．４５の高比重泥水が使用される。
なお、高比重泥水１４は２．３以上の高比重のものであればよい。
【００１５】
また、外側容器本体４と外蓋６とを密封状態で固定する複数個のボルト５の頭部が外蓋６の上面に突出するものについて説明したが、本発明はこれに限らず、外蓋６に形成されるボルト挿入孔にボルト５頭部が収納される凹部を形成したものであっても良い。
【００１６】
上記構成の放射能汚染物質隔離容器１は外側容器７の外蓋６を外側容器本体４より外し、内蓋１１を外した内側容器１２の内側容器本体１０を外側容器本体４内に収納し、これをトラック１６に外蓋６、内蓋１１および高比重泥水１４とを積み込んで、放射能汚染物質２のあるところへ運搬し、該部で内側容器本体１０の内部に放射能汚染物質２を収納し、内蓋１１を複数個のボルト５で内側容器本体１０に固定して、内側容器１２を密封状態にする。
【００１７】
しかる後、外側容器本体４と内側容器１２との間の隙間１３に高比重泥水１４を充填して、内側容器１２の外周部を高比重泥水１４で覆った後、外側容器本体４の上部開口部３を外蓋６で覆い、複数本のボルト５で外側容器本体４に固定し、外側容器７を密封状態に固定する。
【００１８】
なお、この状態でその場所を中間貯蔵施設として使用したり、他の場所の中間貯蔵施設や最終処分場へ移送する場合には、そのままトラックに積み込んで運搬したり、あるいは高比重泥水１４を充填しない状態でトラックに積み込んで運搬し、その後、高比重泥水４を充填して放射能汚染物質隔離容器１を完成させてもよい。
【００１９】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図８ないし図１０に示す本発明を実施するための第２の形態において、前記本発明を実施するための第１の形態と主に異なる点は、外周壁および底面に外側容器７との間に隙間１３を形成するための複数個の支持片８、８Ａを形成した内側容器１２Ａを用いた点で、このような内側容器１２Ａを用いて構成した放射能汚染物質隔離容器１Ａにしても、前記本発明を実施するための第１の形態と同様な作用効果が得られる。
【００２１】
図１１ないし図１３に示す本発明を実施するための第３の形態において、前記本発明を実施するための第１の形態と主に異なる点は、高比重泥水１４を充填することができる開閉蓋１７で開閉することができる高比重泥水充填口１８を設けた外蓋６Ａを使用した外側容器７Ａを用いた点で、このような外側容器７Ａを用いて構成した放射能汚染物質隔離容器１Ｂにしても、前記本発明を実施するための第１の形態と同様な作用効果が得られる。
【００２２】
なお、高比重泥水充填口１８は開閉蓋１７で閉じた状態で、外蓋６Ａの上面より開閉蓋１７の上面が上方へ突出しないで、放射能汚染物質隔離容器１Ｂを重ね置きできるように開閉蓋収納凹部１９が形成されている。
【００２３】
また、外側容器本体４の上部開口部３の周囲に形成される外蓋６を固定する複数個のボルト５と螺合するねじ部２０、特に四隅寄りの部位にアイボルト２１、２１、２１、２１を取付けて、クレーン等でワイヤー２２、２２、２２、２２を用いて吊り上げ作業を容易にできるようにしてもよい。
【００２４】
さらに、外側容器７、７Ａをフォークリフトで持ち上げできるように外側容器本体４の底面四隅に下方へ突出する脚部材を設けたものを用いてもよい。
【産業上の利用可能性】
【００２５】
本発明は放射能汚染物質を収納保管する放射能汚染物質隔離容器を製造する産業で利用される。
【符号の説明】
【００２６】
１、１Ａ、１Ｂ：放射能汚染物質隔離容器、
２：放射能汚染物質  、    ３：上部開口部、
４：外側容器本体、      ５：ボルト、  
６、６Ａ：外蓋、      ７、７Ａ：外側容器、
８、８Ａ：支持片、      ９：上部開口部、
１０：内側容器本体、    １１：内蓋、
１２、１２Ａ：内側容器、    １３：隙間、
１４：高比重泥水、      １５：傾斜面、
１６：トラック、      １７：開閉蓋、
１８：高比重泥水充填口、    １９：開閉蓋収納凹部、
２０：ねじ部、      ２１：アイボルト、
２２：ワイヤー。  
【図１】
2015049070.tif 000003
【図２】
2015049070.tif 000004
【図３】
2015049070.tif 000005
【図４】
2015049070.tif 000006
【図５】
2015049070.tif 000007
【図６】
2015049070.tif 000008
【図７】
2015049070.tif 000009
【図８】
2015049070.tif 000010
【図９】
2015049070.tif 000011
【図１０】
2015049070.tif 000012
【図１１】
2015049070.tif 000013
【図１２】
2015049070.tif 000014
【図１３】
2015049070.tif 000015
【手続補正書】
【提出日】平成25年9月5日(2013.9.5)
【手続補正１】
【補正対象書類名】明細書
【補正対象項目名】００１４
【補正方法】変更
【補正の内容】
【００１４】
また、前記高比重泥水１４は、例えば水道水が１２ｌ、スーパークレイが６６０ｇ、ヘ
マタイトが３６ｋｇ、Ｌ−１７５が３６０ｇで、トータル４９．１ｋｇ／２０ｌとなり、
２．４５の高比重泥水が使用されたり、また、水道水１０００ｇ、スーパークレイが５５ｇ、ヘマタイトが３００７ｇ、Ｌ−１７５が３０ｇで、トータル４０９２ｇ／１６７０．１ｍｌとなり、２．４５の高比重泥水が使用される。
なお、高比重泥水１４は２．３以上の高比重のものであればよい。